(57)【要約】【課題】遊技者の期待感を高め、さらに遊技者の興味を掻き立てること。【解決手段】内部抽選を行なう抽選装置と、前記内部抽選の結果に基づいて、実体シンボルと一対一に対応付けられている仮装シンボルを含む複数種類のシンボルを表示する表示部と、前記仮装シンボルが前記表示部に表示され所定の条件が満たされた場合、前記表示された仮装シンボルを、その仮装シンボルに対応付けられている実体シンボルに変化させるシンボル変換部とを備える。【選択図】　図４
2004016315.tif 000002
【特許請求の範囲】
【請求項１】
内部抽選を行なう抽選装置と、
前記内部抽選の結果に基づいて、実体シンボルと一対一に対応付けられている仮装シンボルを含む複数種類のシンボルを表示する表示部と、
前記仮装シンボルが前記表示部に表示され所定の条件が満たされた場合、前記表示された仮装シンボルを、その仮装シンボルに対応付けられている実体シンボルに変化させるシンボル変換部とを備えることを特徴とする遊技機。
【請求項２】
前記表示部は、実体シンボルと一対一に対応付けられている仮装シンボルを含む複数種類のシンボルを可変表示する一方、前記内部抽選の結果に基づいて、前記可変表示している前記シンボルを停止表示することを特徴とする請求項１記載の遊技機。
【請求項３】
前記表示部は、外観が異なる複数種類の仮装シンボルを含むことを特徴とする請求項１または請求項２記載の遊技機。
【請求項４】
複数の仮装シンボルが前記表示部に表示されることを前記所定の条件とすることを特徴とする請求項１から請求項３いずれかに記載の遊技機。
【請求項５】
前記仮装シンボルを前記実体シンボルに変化させる契機となるトリガーシンボルが前記表示部に含まれ、前記仮装シンボルと前記トリガーシンボルとが前記表示部に停止表示されることを前記所定の条件とすることを特徴とする請求項１から請求項３のいずれかに記載の遊技機。
【請求項６】
複数の前記トリガーシンボルが前記表示部に含まれており、前記複数のトリガーシンボルと前記仮装シンボルとが前記表示部に表示されることを前記所定の条件とすることを特徴とする請求項５記載の遊技機。
【請求項７】
前記仮装シンボルが表示されてから予め定められた時間が経過することを前記所定の条件とすることを特徴とする請求項１から請求項３のいずれかに記載の遊技機。
【請求項８】
前記表示部は、複数種類のシンボルが行方向または列方向に配列された複数の表示領域で構成されており、
外観が同一である複数の仮装シンボルが前記表示部に含まれており、前記表示領域には前記各仮装シンボルを中心としたシンボルの配置パターンが同一である複数のクラスタが構成されていることを特徴とする請求項２記載の遊技機。
【請求項９】
前記表示部は、複数種類のシンボルが行方向または列方向に配列された複数の表示領域で構成されており、
外観が同一である複数の仮装シンボルが前記表示部に含まれており、前記表示領域には前記各仮装シンボルを中心としたシンボルの配置パターンがそれぞれ異なる複数のクラスタが構成されていることを特徴とする請求項２記載の遊技機。
【請求項１０】
内部抽選を行なうステップと、
前記内部抽選の結果に基づいて、実体シンボルと一対一に対応付けられている仮装シンボルを含む複数種類のシンボルを表示するステップと、
前記仮装シンボルが前記表示部に表示され所定の条件が満たされた場合、前記表示された仮装シンボルを、その仮装シンボルに対応付けられている実体シンボルに変化させるステップとを含むことを特徴とする遊技機の制御方法。
【請求項１１】
実体シンボルと一対一に対応付けられている仮装シンボルを含む複数種類のシンボルを可変表示するステップと、
前記内部抽選の結果に基づいて、前記可変表示している前記シンボルを停止表示するステップとを含むことを特徴とする請求項１０記載の遊技機の制御方法。
【請求項１２】
複数の仮装シンボルが前記表示部に表示されることを前記所定の条件とすることを特徴とする請求項１０または請求項１１記載の遊技機の制御方法。
【請求項１３】
前記仮装シンボルと、前記仮装シンボルを前記実体シンボルに変化させる契機となるトリガーシンボルとが前記表示部に停止表示されることを前記所定の条件とする請求項１０または請求項１１記載の遊技機の制御方法。
【請求項１４】
前記複数のトリガーシンボルと前記仮装シンボルとが前記表示部に表示されることを前記所定の条件とする請求項１３記載の遊技機の制御方法。
【請求項１５】
前記仮装シンボルが表示されてから予め定められた時間が経過することを前記所定の条件とする請求項１０または請求項１１記載の遊技機の制御方法。
【請求項１６】
内部抽選を行なう処理と、
前記内部抽選の結果に基づいて、実体シンボルと一対一に対応付けられている仮装シンボルを含む複数種類のシンボルを表示する処理と、
前記仮装シンボルが前記表示部に表示され所定の条件が満たされた場合、前記表示された仮装シンボルを、その仮装シンボルに対応付けられている実体シンボルに変化させる処理とをコンピュータに実行させることを特徴とする遊技機の制御プログラム。
【請求項１７】
実体シンボルと一対一に対応付けられている仮装シンボルを含む複数種類のシンボルを可変表示する処理と、
前記内部抽選の結果に基づいて、前記可変表示している前記シンボルを停止表示する処理とをコンピュータに実行させることを特徴とする請求項１６記載の遊技機の制御プログラム。
【発明の詳細な説明】
【０００１】
【発明の属する技術分野】
本発明は、仮装シンボルが表示され、所定の条件が満たされた場合に、表示された仮装シンボルを、その仮装シンボルに対応付けられている実体シンボルに変化させる遊技機、遊技機の制御方法および遊技機の制御プログラムに関する。
【０００２】
【従来の技術】
従来、例えば、ＵＳＰ５，１５２，５２９号には、インナーリールとアウターリールとを備えた遊技機が開示されている。この遊技機では、アウターリールで「ブランク」が停止表示された場合、さらにインナーリールを回転させ、特定の図柄を上記ブランクから見えるように停止表示させている。すなわち、この遊技機では、アウターリールによる抽選、およびインナーリールによる抽選という独立した２種類の抽選が行なわれている。
【０００３】
【発明が解決しようとする課題】
しかしながら、アウターリールとインナーリールとを用いた図柄の表示手法は遊技者の間で良く知られるようになってきている。このため、遊技者の興味を掻き立てるような新たな図柄の表示手法が望まれている。特に、今日ではビデオリールを用いた遊技機が多く知られている。ビデオリールでは、多種多様な表示が可能であるため、ビデオリールにも好適な図柄の表示手法が期待される。
【０００４】
本発明は、このような事情に鑑みてなされたものであり、遊技者の期待感を高め、さらに遊技者の興味を掻き立てることができる遊技機、遊技機の制御方法および遊技機の制御プログラムを提供することを目的とする。
【０００５】
【課題を解決するための手段】
上記の目的を達成するため、本発明の遊技機は、内部抽選を行なう抽選装置と、前記内部抽選の結果に基づいて、実体シンボルと一対一に対応付けられている仮装シンボルを含む複数種類のシンボルを表示する表示部と、前記仮装シンボルが前記表示部に表示され所定の条件が満たされた場合、前記表示された仮装シンボルを、その仮装シンボルに対応付けられている実体シンボルに変化させるシンボル変換部とを備えることを特徴としている。
【０００６】
このように、本発明では複数種類のシンボルの中に実体シンボルと一対一に対応付けられている仮装シンボルが含まれている。仮装シンボルだけではどのような実体シンボルが対応付けられているかを判断することができない。そして、仮装シンボルが表示されて所定の条件が満たされた場合に、その仮装シンボルが、実体シンボルに変化する。ここで初めて実体シンボルが明らかとなる。これにより、遊技者は、仮装シンボルが表示されたときにどのような実体シンボルが出現するのかについて大きな期待感を持つようになる。さらに、実体シンボルが出現することを遊技者に利益をもたらす契機としてもよい。例えば、実体シンボルの出現をボーナスゲーム開始の条件としたり、大きな配当を与える条件とするのである。これにより、仮装シンボルが出現したときに実体シンボルに変化するかどうか、そしてどのような実体シンボルが出現するのかどうかについて遊技者の興味を掻き立てることが可能となる。
【０００７】
また、本発明の遊技機は、前記表示部は、実体シンボルと一対一に対応付けられている仮装シンボルを含む複数種類のシンボルを可変表示する一方、前記内部抽選の結果に基づいて、前記可変表示している前記シンボルを停止表示することを特徴としている。
【０００８】
このように、仮装シンボルを含む複数種類のシンボルを可変表示し、内部抽選の結果に基づいて、可変表示している前記シンボルを停止表示するので、物理的なリール、およびビデオリールを有する遊技機に対して本発明を適用することができる。これにより、どのようなシンボルが停止表示されるかについて、遊技者の期待感を高めることができると共に、仮装シンボルが出現したときに実体シンボルに変化するかどうか、そしてどのような実体シンボルが出現するのかどうかについて遊技者の興味を掻き立てることが可能となる。
【０００９】
また、本発明の遊技機は、前記表示部は、外観が異なる複数種類の仮装シンボルを含むことを特徴としている。
【００１０】
本発明では、外観が異なる複数種類の仮装シンボルを用いる。このため、仮装シンボルが表示されても、どのような実体シンボルが対応しているのかを予想することが難しくなる。これにより、仮装シンボルが表示されたときに遊技者の期待感を高めることができる。
【００１１】
また、本発明の遊技機は、複数の仮装シンボルが前記表示部に表示されることを前記所定の条件とすることを特徴としている。
【００１２】
上記のように、仮装シンボルには実体シンボルが一対一に対応付けられているが、条件が整わないと仮装シンボルは実体シンボルに変化しない。この条件として、本発明では複数の仮装シンボルが表示されることとする。複数の仮装シンボルが表示されたときに、各仮装シンボルが、対応付けられている実体シンボルに変化する。このときになって初めてどのような実体シンボルが対応付けられていたのかが明らかになる。これにより、仮装シンボルが表示されたときに遊技者の期待感を高めることができる。
【００１３】
また、本発明の遊技機は、前記仮装シンボルを前記実体シンボルに変化させる契機となるトリガーシンボルが前記表示部に含まれ、前記仮装シンボルと前記トリガーシンボルとが前記表示部に停止表示されることを前記所定の条件とすることを特徴としている。
【００１４】
上記のように、仮装シンボルには実体シンボルが一対一に対応付けられているが、条件が整わないと仮装シンボルは実体シンボルに変化しない。この条件として、本発明では仮装シンボルとトリガーシンボルとが表示されることとする。仮装シンボルとトリガーシンボルとが表示されたときに、仮装シンボルが、対応付けられている実体シンボルに変化する。このときになって初めてどのような実体シンボルが対応付けられていたのかが明らかになる。これにより、仮装シンボルが表示されたときに、トリガーシンボルも表示されるかどうかについて遊技者の期待感を高めることができる。そして、仮装シンボルと共にトリガーシンボルが表示されたときに仮装シンボルが実体シンボルに変化するので、どのような実体シンボルが出現するのかについて遊技者の期待感を高めることができる。
【００１５】
また、本発明の遊技機は、複数の前記トリガーシンボルが前記表示部に含まれており、前記複数のトリガーシンボルと前記仮装シンボルとが前記表示部に表示されることを前記所定の条件とすることを特徴としている。
【００１６】
上記のように、仮装シンボルには実体シンボルが一対一に対応付けられているが、条件が整わないと仮装シンボルは実体シンボルに変化しない。この条件として、本発明では仮装シンボルと複数のトリガーシンボルとが表示されることとする。仮装シンボルと複数のトリガーシンボルとが表示されたときに、仮装シンボルが、対応付けられている実体シンボルに変化する。このときになって初めてどのような実体シンボルが対応付けられていたのかが明らかになる。これにより、仮装シンボルが表示されたときに、複数のトリガーシンボルも表示されるかどうかについて遊技者の期待感を高めることができる。そして、仮装シンボルと共に複数のトリガーシンボルが表示されたときに仮装シンボルが実体シンボルに変化するので、どのような実体シンボルが出現するのかについて遊技者の期待感を高めることができる。
【００１７】
また、本発明の遊技機は、前記仮装シンボルが表示されてから予め定められた時間が経過することを前記所定の条件とすることを特徴としている。
【００１８】
上記のように、仮装シンボルには実体シンボルが一対一に対応付けられているが、条件が整わないと仮装シンボルは実体シンボルに変化しない。この条件として、本発明では予め定められた時間が経過することとする。仮装シンボルが表示されてから予め定められた時間が経過したときに、その仮装シンボルが、対応付けられている実体シンボルに変化する。このときになって初めてどのような実体シンボルが対応付けられていたのかが明らかになる。これにより、仮装シンボルが表示されたときに、どのような実体シンボルが出現するのかについて遊技者の期待感を高めることができる。
【００１９】
また、本発明の遊技機は、前記表示部は、複数種類のシンボルが行方向または列方向に配列された複数の表示領域で構成されており、外観が同一である複数の仮装シンボルが前記表示部に含まれており、前記表示領域には前記各仮装シンボルを中心としたシンボルの配置パターンが同一である複数のクラスタが構成されていることを特徴としている。
【００２０】
このように、表示領域には各仮装シンボルを中心としたシンボルの配置パターンが同一である複数のクラスタが構成されている。クラスタとは、複数のシンボルからなるシンボル群である。そして、上記のように、複数種類のシンボルを行方向または列方向に可変表示する一方、内部抽選の結果に基づいて、可変表示しているシンボルを停止表示する。ある仮装シンボルが停止表示されたとき、その仮装シンボルを中心としたシンボルの配置パターンが各クラスタにおいて同一であるので、遊技者は、その仮装シンボル近傍のシンボルによってその仮装シンボルに対応づけられている実体シンボルを予測することが困難となる。例えば、列方向（遊技機の上下方向）にシンボルを可変表示するリールにおいて、３つのシンボルを上段、中段、および下段に表示する場合を示す。この場合、各クラスタは、仮装シンボルを中心として上方向に２つ、下方向に２つのシンボルの配置パターンが同一となる。具体的には、例えば、シンボルをアルファベットの大文字で表すとし、仮装シンボルをＡとすると、各クラスタにおけるシンボルの配置パターンは、リールの上側から下側に向かって、例えば、「Ｂ、Ｃ、Ａ、Ｄ、Ｅ」とする。これにより、どのクラスタにおいても、仮装シンボルが上段に表示されたときは、「Ａ、Ｄ、Ｅ」と、仮装シンボルが中段に表示されたときは「Ｃ、Ａ、Ｄ」と、仮装シンボルが下段に表示されたときは、「Ｂ、Ｃ、Ａ」と表示される。このように、仮装シンボルを含む各クラスタにおけるシンボルの配置パターンが、それぞれのクラスタで同一となっているのである。これにより、表示された仮装シンボルがどのような実体シンボルに変化するのかについて遊技者の予測を困難とし、期待感を高めることができる。
【００２１】
また、本発明の遊技機は、前記表示部は、複数種類のシンボルが行方向または列方向に配列された複数の表示領域で構成されており、外観が同一である複数の仮装シンボルが前記表示部に含まれており、前記表示領域には前記各仮装シンボルを中心としたシンボルの配置パターンがそれぞれ異なる複数のクラスタが構成されていることを特徴としている。
【００２２】
このように、表示領域には各仮装シンボルを中心としたシンボルの配置パターンがそれぞれ異なる複数のクラスタが構成されている。クラスタとは、複数のシンボルからなるシンボル群である。そして、上記のように、複数種類のシンボルを行方向または列方向に可変表示する一方、内部抽選の結果に基づいて、可変表示しているシンボルを停止表示する。ある仮装シンボルが停止表示されたとき、その仮装シンボルを中心としたシンボルの配置パターンが各クラスタにおいて異なっているので、遊技者は、その仮装シンボル近傍のシンボルによってその仮装シンボルに対応づけられている実体シンボルを予測することができるようになる。例えば、列方向（遊技機の上下方向）にシンボルを可変表示するリールにおいて、３つのシンボルを上段、中段、および下段に表示する場合を示す。この場合、各クラスタは、仮装シンボルを中心として上方向に２つ、下方向に２つのシンボルの配置パターンが異なる。具体的には、例えば、シンボルをアルファベットの大文字で表すとし、仮装シンボルをＡとすると、あるクラスタにおけるシンボルの配置パターンは、リールの上側から下側に向かって、例えば、「Ｂ、Ｃ、Ａ、Ｄ、Ｅ」とする。しかし、他のクラスタにおいては、「Ｄ、Ｅ，Ａ、Ｂ、Ｃ」であったり、「Ｆ、Ｇ、Ａ、Ｈ、Ｉ」であったりする。このため、あるクラスタのシンボルの配置パターンが「Ｂ、Ｃ、Ａ、Ｄ、Ｅ」であって、仮装シンボルＡに対応付けられている実体シンボルがボーナスゲーム開始のシンボルであったとすると、仮装シンボルＡが、例えば上段に表示されたとき、中段と下段のシンボルがそれぞれ「Ｄ」と「Ｅ」であった場合には、仮装シンボルＡはボーナスゲーム開始の実体シンボルだと遊技者は予測することができる。これにより、いわゆる「リーチ目」としての表示をすることができ、遊技者の興味を掻き立てることができる。
【００２３】
また、本発明の遊技機の制御方法は、内部抽選を行なうステップと、前記内部抽選の結果に基づいて、実体シンボルと一対一に対応付けられている仮装シンボルを含む複数種類のシンボルを表示するステップと、前記仮装シンボルが前記表示部に表示され所定の条件が満たされた場合、前記表示された仮装シンボルを、その仮装シンボルに対応付けられている実体シンボルに変化させるステップとを含むことを特徴としている。
【００２４】
このように、本発明では複数種類のシンボルの中に実体シンボルと一対一に対応付けられている仮装シンボルが含まれている。仮装シンボルだけではどのような実体シンボルが対応付けられているかを判断することができない。そして、仮装シンボルが表示されて所定の条件が満たされた場合に、その仮装シンボルが、実体シンボルに変化する。ここで初めて実体シンボルが明らかとなる。これにより、遊技者は、仮装シンボルが表示されたときにどのような実体シンボルが出現するのかについて大きな期待感を持つようになる。さらに、実体シンボルが出現することを遊技者に利益をもたらす契機としてもよい。例えば、実体シンボルの出現をボーナスゲーム開始の条件としたり、大きな配当を与える条件とするのである。これにより、仮装シンボルが出現したときに実体シンボルに変化するかどうか、そしてどのような実体シンボルが出現するのかどうかについて遊技者の興味を掻き立てることが可能となる。
【００２５】
また、本発明の遊技機の制御方法は、実体シンボルと一対一に対応付けられている仮装シンボルを含む複数種類のシンボルを可変表示するステップと、前記内部抽選の結果に基づいて、前記可変表示している前記シンボルを停止表示するステップとを含むことを特徴としている。
【００２６】
このように、仮装シンボルを含む複数種類のシンボルを可変表示し、内部抽選の結果に基づいて、可変表示している前記シンボルを停止表示するので、物理的なリール、およびビデオリールを有する遊技機に対して本発明を適用することができる。これにより、どのようなシンボルが停止表示されるかについて、遊技者の期待感を高めることができると共に、仮装シンボルが出現したときに実体シンボルに変化するかどうか、そしてどのような実体シンボルが出現するのかどうかについて遊技者の興味を掻き立てることが可能となる。
【００２７】
また、本発明の遊技機の制御方法は、複数の仮装シンボルが前記表示部に表示されることを前記所定の条件とすることを特徴としている。
【００２８】
上記のように、仮装シンボルには実体シンボルが一対一に対応付けられているが、条件が整わないと仮装シンボルは実体シンボルに変化しない。この条件として、本発明では複数の仮装シンボルが表示されることとする。複数の仮装シンボルが表示されたときに、各仮装シンボルが、対応付けられている実体シンボルに変化する。このときになって初めてどのような実体シンボルが対応付けられていたのかが明らかになる。これにより、仮装シンボルが表示されたときに遊技者の期待感を高めることができる。
【００２９】
また、本発明の遊技機の制御方法は、前記仮装シンボルと、前記仮装シンボルを前記実体シンボルに変化させる契機となるトリガーシンボルとが前記表示部に停止表示されることを前記所定の条件とすることを特徴としている。
【００３０】
上記のように、仮装シンボルには実体シンボルが一対一に対応付けられているが、条件が整わないと仮装シンボルは実体シンボルに変化しない。この条件として、本発明では仮装シンボルとトリガーシンボルとが表示されることとする。仮装シンボルとトリガーシンボルとが表示されたときに、仮装シンボルが、対応付けられている実体シンボルに変化する。このときになって初めてどのような実体シンボルが対応付けられていたのかが明らかになる。これにより、仮装シンボルが表示されたときに、トリガーシンボルも表示されるかどうかについて遊技者の期待感を高めることができる。そして、仮装シンボルと共にトリガーシンボルが表示されたときに仮装シンボルが実体シンボルに変化するので、どのような実体シンボルが出現するのかについて遊技者の期待感を高めることができる。
【００３１】
また、本発明の遊技機の制御方法は、前記複数のトリガーシンボルと前記仮装シンボルとが前記表示部に表示されることを前記所定の条件とすることを特徴としている。
【００３２】
上記のように、仮装シンボルには実体シンボルが一対一に対応付けられているが、条件が整わないと仮装シンボルは実体シンボルに変化しない。この条件として、本発明では仮装シンボルと複数のトリガーシンボルとが表示されることとする。仮装シンボルと複数のトリガーシンボルとが表示されたときに、仮装シンボルが、対応付けられている実体シンボルに変化する。このときになって初めてどのような実体シンボルが対応付けられていたのかが明らかになる。これにより、仮装シンボルが表示されたときに、複数のトリガーシンボルも表示されるかどうかについて遊技者の期待感を高めることができる。そして、仮装シンボルと共に複数のトリガーシンボルが表示されたときに仮装シンボルが実体シンボルに変化するので、どのような実体シンボルが出現するのかについて遊技者の期待感を高めることができる。
【００３３】
また、本発明の遊技機の制御方法は、前記仮装シンボルが表示されてから予め定められた時間が経過することを前記所定の条件とすることを特徴としている。
【００３４】
上記のように、仮装シンボルには実体シンボルが一対一に対応付けられているが、条件が整わないと仮装シンボルは実体シンボルに変化しない。この条件として、本発明では予め定められた時間が経過することとする。仮装シンボルが表示されてから予め定められた時間が経過したときに、その仮装シンボルが、対応付けられている実体シンボルに変化する。このときになって初めてどのような実体シンボルが対応付けられていたのかが明らかになる。これにより、仮装シンボルが表示されたときに、どのような実体シンボルが出現するのかについて遊技者の期待感を高めることができる。
【００３５】
また、本発明の遊技機の制御方プログラムは、内部抽選を行なう処理と、前記内部抽選の結果に基づいて、実体シンボルと一対一に対応付けられている仮装シンボルを含む複数種類のシンボルを表示する処理と、前記仮装シンボルが前記表示部に表示され所定の条件が満たされた場合、前記表示された仮装シンボルを、その仮装シンボルに対応付けられている実体シンボルに変化させる処理とをコンピュータに実行させることを特徴としている。
【００３６】
このように、本発明では複数種類のシンボルの中に実体シンボルと一対一に対応付けられている仮装シンボルが含まれている。仮装シンボルだけではどのような実体シンボルが対応付けられているかを判断することができない。そして、仮装シンボルが表示されて所定の条件が満たされた場合に、その仮装シンボルが、実体シンボルに変化する。ここで初めて実体シンボルが明らかとなる。これにより、遊技者は、仮装シンボルが表示されたときにどのような実体シンボルが出現するのかについて大きな期待感を持つようになる。さらに、実体シンボルが出現することを遊技者に利益をもたらす契機としてもよい。例えば、実体シンボルの出現をボーナスゲーム開始の条件としたり、大きな配当を与える条件とするのである。これにより、仮装シンボルが出現したときに実体シンボルに変化するかどうか、そしてどのような実体シンボルが出現するのかどうかについて遊技者の興味を掻き立てることが可能となる。
【００３７】
また、本発明の遊技機の制御プログラムは、実体シンボルと一対一に対応付けられている仮装シンボルを含む複数種類のシンボルを可変表示する処理と、前記内部抽選の結果に基づいて、前記可変表示している前記シンボルを停止表示する処理とをコンピュータに実行させることを特徴としている。
【００３８】
このように、仮装シンボルを含む複数種類のシンボルを可変表示し、内部抽選の結果に基づいて、可変表示している前記シンボルを停止表示するので、物理的なリール、およびビデオリールを有する遊技機に対して本発明を適用することができる。これにより、どのようなシンボルが停止表示されるかについて、遊技者の期待感を高めることができると共に、仮装シンボルが出現したときに実体シンボルに変化するかどうか、そしてどのような実体シンボルが出現するのかどうかについて遊技者の興味を掻き立てることが可能となる。
【００３９】
【発明の実施の形態】
以下、本実施の形態に係る遊技機について説明する。本実施の形態に係る遊技機は、内部抽選の結果に基づいて、実体シンボルと一対一に対応付けられている仮装シンボルを含む複数種類のシンボルを表示する。実体シンボルとは、特定の図柄を有しており、入賞ライン上に現れたときに遊技者に対して特定の配当を与え得る性質を有する。一方、仮装シンボルとは、実体シンボルを覆い隠す性質を有している。仮装シンボルには予め実体シンボルが一対一に対応付けられており、所定の条件が満たされたときに仮装シンボルが実体シンボルに変化する。このときになって初めて実体シンボルが出現するのである。所定の条件とは、本実施の形態では、トリガーシンボルが仮装シンボルと同時に表示されることとする。すなわち、トリガーシンボルは、仮装シンボルを実体シンボルに変化させる機能を有する。
【００４０】
本実施の形態では、図５に示すように、第５リール７５において海底岸壁が描かれたシンボル６２を仮装シンボルとする。また、図５に示すように、第１リール７１において潜水艇６１が描かれたシンボル６０をトリガーシンボルとする。また、図７に示すように、第５リール７５において宝箱が描かれたシンボル７０、および、図８に示すように、第５リール７５において遺跡が描かれたシンボル８０を実体シンボルとする。実体シンボル７０には、入賞ライン上に現れたときに、「宝箱のゲーム」を開始させる機能が与えられている。また、実体シンボル８０には、入賞ライン上に現れたときに、「遺跡のゲーム」を開始させる機能が与えられている。これらの実体シンボルは、遊技者に分からないように、通常、図５に示すように仮装シンボル６２として表示される。
【００４１】
仮装シンボル６２が表示され、トリガーシンボル６０が表示された場合、表示された仮装シンボル６２を、その仮装シンボルに対応付けられている実体シンボルに変化させる。ここで、仮装シンボル６２を含む複数種類のシンボルを可変表示する一方、内部抽選の結果に基づいて、可変表示しているシンボルを停止表示するように構成することもできる。このように、仮装シンボルを含む複数種類のシンボルを可変表示し、内部抽選の結果に基づいて、可変表示している前記シンボルを停止表示することによって、物理的なリール、およびビデオリールを有する遊技機に対して本発明を適用することができる。これにより、どのようなシンボルが停止表示されるかについて、遊技者の期待感を高めることができると共に、仮装シンボルが出現したときに実体シンボルに変化するかどうか、そしてどのような実体シンボルが出現するのかどうかについて遊技者の興味を掻き立てることが可能となる。
【００４２】
また、本発明は、シンボルを表示することができるすべての装置（ゲームを行なう装置）に適用可能である。ここでは、複数種類のシンボルを列方向（行方向であってもよい）に可変表示する一方、内部抽選の結果に基づいて、可変表示しているシンボルを停止表示することができる遊技機を例にとって説明する。シンボルを可変表示する部分には、機械的な回胴（リール）を用いてもよいし、液晶画面等に画像としてシンボルを可変表示するビデオリールを用いてもよい。また、スロットマシンのように、遊技者が自らの意思でストップボタンを操作して各回胴（リール）の停止タイミングおよび停止順序を決めることができる遊技機だけでなく、パチンコ遊技機のように、遊技者の意志とは関係なく各リールが自動的に順次停止する遊技機にも適用可能である。また、本実施の形態では、遊技用有価物として、メダルを例にとって説明するが、本発明は、これに限定する趣旨ではなく、パチンコ玉その他の遊技価値を与え得るすべての媒体が該当する。
【００４３】
図１において、遊技機１は、筐体２と、この筐体２の前面に開閉自在に取り付けられる前面パネル３とから構成される。前面パネル３の背後には、液晶パネルまたはＣＲＴ（Ｃａｔｈｏｄｅ−Ｒａｙ　Ｔｕｂｅ）により構成され、例えば５列にシンボルを表示するシンボル表示部７が設けられている。本実施の形態では、ビデオリール方式を採っており、プログラムを実行させることによって、シンボル表示部７には５つリールが表示される。
【００４４】
すなわち、図５に示すように、シンボル表示部７は、列方向（遊技機の上下方向）にシンボルを可変表示および停止表示させるリールを５つ有している。具体的には、第１リール７１、第２リール７２、第３リール７３、第４リール７４、そして第５リール７５である。各リールによって種々のシンボルを可変表示または停止表示することが可能である。
【００４５】
シンボル表示部７は、外観が同一である複数の仮装シンボルを含んでいる。具体的には、それぞれ同一の海底岸壁が描かれた仮装シンボルである。各仮装シンボルには、異なる実体シンボルが一対一に対応付けられている。そして、シンボル表示部７では、各仮装シンボルを中心としたシンボルの配置パターンが同一である複数のクラスタが構成されている。クラスタとは、複数のシンボルからなるシンボル群である。そして、上記のように、複数種類のシンボルを列方向に可変表示する一方、内部抽選の結果に基づいて、可変表示しているシンボルを停止表示する。ある仮装シンボルが停止表示されたとき、その仮装シンボルを中心としたシンボルの配置パターンが各クラスタにおいて同一であるので、遊技者は、その仮装シンボル近傍のシンボルによってその仮装シンボルに対応づけられている実体シンボルを予測することが困難となる。例えば、列方向（遊技機の上下方向）にシンボルを可変表示するリールにおいて、３つのシンボルを上段、中段、および下段に表示する場合を示す。この場合、各クラスタは、仮装シンボルを中心として上方向に２つ、下方向に２つのシンボルの配置パターンが同一となる。具体的には、例えば、シンボルをアルファベットの大文字で表すとし、仮装シンボルを海底岸壁が描かれたシンボルＡとすると、各クラスタにおけるシンボルの配置パターンは、リールの上側から下側に向かって、例えば、「Ｂ、Ｃ、Ａ、Ｄ、Ｅ」とする。これにより、どのクラスタにおいても、仮装シンボルが上段に表示されたときは、「Ａ、Ｄ、Ｅ」と、仮装シンボルが中段に表示されたときは「Ｃ、Ａ、Ｄ」と、仮装シンボルが下段に表示されたときは、「Ｂ、Ｃ、Ａ」と表示される。このように、仮装シンボルを含む各クラスタにおけるシンボルの配置パターンが、それぞれのクラスタで同一となっているのである。これにより、表示された仮装シンボルがどのような実体シンボルに変化するのかについて遊技者の予測を困難とし、期待感を高めることができる。
【００４６】
また、筐体２の前面にはメダル投入口１０と、投入したメダルが詰まった等の場合に、メダルを返却するメダル返却ボタン１０ａとが設けられている。スタートレバー１１は、シンボル表示部７の回転表示（可変表示）を開始させる操作を行なうレバーである。
【００４７】
この遊技機１によるゲームは、遊技者がＢＥＴ操作によって有効な入賞ライン（ペイライン）を特定することによって開始される。入賞ラインは、例えば、横中央ライン、横上下ライン、および斜めラインなど複数の設定が可能となっている。また、ＢＥＴ操作は、後述するメダル投入口１０にメダルを投入するか、または貯留メダル投入ボタン２１によって貯留しているメダルをＢＥＴすることによって行われる。また、これらのＢＥＴ操作を併用することによってもＢＥＴは可能となっている。
【００４８】
遊技者によるＢＥＴ操作によって入賞ラインが特定され、スタートレバー１１が操作されると、シンボル表示部７がシンボルを可変表示させる。そして、予め定められた時間が経過すると、シンボル表示部７は、順次可変表示を停止する。停止順序は、例えば、シンボル表示部７に向かって左から順に所定の時間間隔をもって停止する。この停止時にいずれかの入賞ライン上に所定のシンボルの組み合わせが表示されると、そのシンボルの組み合わせに応じた入賞が得られる。
【００４９】
また、前面パネル３の下方には、メダル払い出し口１５とメダル受皿１６とが設けられ、前面パネル３の上方には、ゲームの演出のために駆動する遊技演出表示器１７が設けられている。遊技演出表示器１７は、例えば、ＬＣＤ（Ｌｉｑｕｉｄ　Ｃｒｙｓｔａｌ　Ｄｅｖｉｃｅ）または各種ランプ類から構成される。本実施の形態では、ＬＣＤを採用した例を示す。また、前面パネル３の上方には、ボーナスゲーム表示器１８が設けられている。ボーナスゲーム表示器１８は、ＬＥＤ（Ｌｉｇｈｔ　Ｅｍｉｔｔｉｎｇ　Ｄｉｏｄｅ）で構成され、遊技者に高い遊技価値を付与するボーナス賞の当選または入賞、ゲームの演出、エラー発生時を表示する。スピーカ１９は、音声案内、音楽、効果音等を発生させる。なお、ボーナス賞に入賞すると、例えば、勝率が１／３になるような、遊技者に有利なゲーム展開となる。
【００５０】
前面パネル３に設けられた複数のランプ２０は、点灯、消灯、または点滅することによって、メダル投入枚数（またはＢＥＴされたクレジット数）に応じて有効化された入賞ラインの表示、入賞の表示などのゲームに関する表示を行なう。また、貯留メダル投入ボタン２１は、図示しないメダル貯留装置に貯留（クレジット）されているメダルを所定の枚数だけ使用するボタンであり、貯留メダル投入ボタン２２は、図示しないメダル貯留装置に貯留されているメダルを最大規定枚数使用するためのボタンである。メダル貯留枚数表示部２３は、図示しないメダル貯留装置に貯留されているメダルの枚数を表示する。入賞回数表示部２４は、ボーナス賞の入賞の際に入賞回数や残り回数などを表示する。メダル払い出し枚数表示部２５は、メダル払い出し枚数などを表示する。メダル貯留枚数表示部２３、入賞回数表示部２４およびメダル払い出し枚数表示部２５は、例えば、ＬＥＤで構成されている。精算ボタン２６は、貯留されているメダルの精算を行い、施錠装置２７は、回す方向によって、ドアの解錠を行なう。ラベル２８には、遊技機１の形式やメーカー名などが記載される。
【００５１】
図２は、本実施の形態に係る遊技機の電気的構成を示す図である。図２に示すように、遊技機１は、電気的にメイン基板Ａとサブ基板Ｂとから構成される。メイン基板Ａにおいて、ＣＰＵ３０は、ＲＯＭ３１およびＲＡＭ３２を備え、予め設定されたプログラムに従って制御動作を行なう。ＲＯＭ３１には、遊技機１の動作を制御する制御プログラムの他、賞群の事前決定（内部抽選）を行なうために使用する賞群抽選テーブルなどが格納されている。これらのＣＰＵ３０、ＲＯＭ３１およびＲＡＭ３２はシンボル変換部を構成する。
【００５２】
また、ＣＰＵ３０には、基準クロックパルスを発生するクロック発生回路３３と、一定の乱数を発生させる乱数発生回路３４とが接続されている。ＣＰＵ３０と乱数発生回路３４とは抽選装置を構成する。ＣＰＵ３０から送出される制御信号は、出力ポート３５を介して、メダルの払い出しを行なうメダル払い出し装置３６と、シンボル表示部７を制御する表示部制御回路３７とに出力される。シンボル表示部７および表示部制御回路３７は、表示部を構成する。
【００５３】
また、メダルの適否を判別するメダル判別装置３８、払い出すメダル数をカウントする払い出しメダルカウンタ４０、およびリールの回転を開始させるスタートレバー４１から出力された信号は、入力ポート４３を介してＣＰＵ３０に入力される。ＣＰＵ３０から出力される信号は、サブ基板Ｂへの信号送出タイミングを制御する送出タイミング制御回路４５からの制御を受けて、データ送出回路４６を介してサブ基板Ｂへ出力される。
【００５４】
サブ基板Ｂでは、データ送出回路４６から出力された信号はデータ入力回路４７に入力される。データ入力回路４７に入力された信号は、ＣＰＵ４８で処理される。ＣＰＵ４８には、基準クロックパルスを発生するクロック発生回路４９と、各種プログラムおよび画像データが記録されたＲＯＭ５０と、ＲＡＭ５１とが接続されている。画像に関するデータは、ＣＰＵ４８から画像処理等を行なう表示回路５２を介して液晶表示器５３に出力される。液晶表示器５３では、文字、静止画、動画等が表示される。また、音声に関するデータは、ＣＰＵ４８から音声処理等を行なうサウンドＬＳＩ５４を介してアンプ回路５６に出力される。サウンドＬＳＩ５４は、音声ＲＯＭ５５から必要な音声データを抽出して音声データの処理を行なう。アンプ回路５６で増幅等の処理を受けた音声データは、音声の調整を行なう音声調整回路５７を介してスピーカ５８に出力される。
【００５５】
次に、以上のように構成された本実施の形態に係る遊技機の動作について説明する。図３および図４は、本実施の形態に係る遊技機の特徴的な動作を示すフローチャートである。また、図５から図８は、シンボル表示部７における表示例を示す図である。図５から図８においては、仮装シンボル６２、トリガーシンボル６０、および実体シンボル（７０、８０）以外のシンボルについては、ブランクで表しており、具体的に表示することを割愛している。
【００５６】
まず、通常のゲーム開始操作が行なわれる（ステップＳ１）。ここでは、上記のように、遊技者によるＢＥＴ操作によって入賞ラインが特定され、スタートレバー１１が操作される。次に、第１から第５リール帯の停止番号用の乱数値を取得し（ステップＳ２）、通常ゲームの入賞判定を行なう（ステップＳ３）。そして、第１から第５リールの回転が開始される（ステップＳ４）。
【００５７】
次に、第１から第５リールの回転を順次停止させる（ステップＳ５）。ここでは、第１リールから第５リールへ向けて所定の時間間隔をもって順次停止することとする。時間間隔は、例えば、０．５秒とすることができる。次に、図４に示すように、第１リールに潜水艇６１が描かれたトリガーシンボル６０が表示されたかどうかを判断する（ステップＳ６）。すなわち、本実施の形態では、潜水艇が描かれたシンボルを、仮装シンボルを実体シンボルに変化させる契機となるトリガーシンボルとする。ここでは、図５に示すように、第１リール７１にトリガーシンボル６０が表示された。次に、第５リール７５に海底岸壁が描かれたシンボルが表示されたかどうかを判断する（ステップＳ７）。すなわち、本実施の形態では、海底岸壁が描かれたシンボルを、仮装シンボルとする。ここでは、図５に示すように、第５リール７５に海底岸壁が描かれた仮装シンボル６２が表示された。そして、トリガーシンボル６０と仮装シンボル６２とがシンボル表示部７に表示されたため、仮装シンボル６２が実体シンボルに変化する条件が満たされたことになる。
【００５８】
次に、図６に示すように、第１リール７１に表示されたトリガーシンボル６０に描かれた潜水艇が、第５リール７５に表示された仮装シンボル６２の方向へ動き出す（ステップＳ８）。このとき、演出効果を高めるため、潜水艇６１が海底を進行するときのパルス音等を発してもよい。潜水艇６１が、海底岸壁が描かれた仮装シンボル６２に到達すると、仮装シンボル６２が強く発光し、海底岸壁の奥の景色が出現する。そして、第５リール７５における仮装シンボル６２の海底岸壁の向こう側に何があるかを判断する（ステップＳ９）。
【００５９】
この判断の結果、図７に示すように、第５リール７５に宝箱が描かれた実体シンボル７０が表示されたときは、宝箱のゲームが開始される（ステップＳ１０）。一方、ステップＳ９の判断の結果、図８に示すように、第５リール７５に遺跡が描かれた実体シンボルが表示されたときは、遺跡のゲームが開始される（ステップＳ１１）。宝箱のゲームおよび遺跡のゲームは、いずれも遊技者に利益をもたらすボーナスゲームとする。これにより、仮装シンボルが表示されたときにボーナスゲームの予感を遊技者に感じさせることができる。
【００６０】
上記のように、仮装シンボルには実体シンボルが一対一に対応付けられているが、条件が整わないと仮装シンボルは実体シンボルに変化しない。この条件として、本実施の形態では仮装シンボル６２とトリガーシンボル６０とが表示されることとする。仮装シンボル６２とトリガーシンボル６０とが表示されたときに、仮装シンボル６２が、対応付けられている実体シンボル（７０または８０）に変化する。このときになって初めてどのような実体シンボルが対応付けられていたのかが明らかになる。これにより、仮装シンボル６２が表示されたときに、トリガーシンボル６０も表示されるかどうかについて遊技者の期待感を高めることができる。そして、仮装シンボル６２と共にトリガーシンボル６０が表示されたときに仮装シンボル６２が実体シンボル（７０または８０）に変化するので、どのような実体シンボルが出現するのかについて遊技者の期待感を高めることができる。
【００６１】
一方、ステップＳ６において、第１リール７１に潜水艇が描かれたトリガーシンボル６０が表示されない場合、および、ステップＳ７において、第５リール７５に海底岸壁が描かれた仮装シンボル６２が表示されない場合は、いずれもステップＳ１２へ移行する。
【００６２】
最後に、ゲーム結果処理が行なわれて（ステップＳ１２）、ゲーム開始待機状態へリターンする。
【００６３】
なお、上記の説明では、仮装シンボル６２は海底岸壁が描かれたシンボルとして１種類のシンボルを用いたが、外観が異なる複数種類の仮装シンボルを用いてもよい。海底岸壁が描かれたシンボルの他に、例えば、ドアが描かれたシンボルを仮装シンボルとするのである。これにより、遊技者は、これらのうち、いずれかの仮装シンボルが表示されても、どのような実体シンボルが対応しているのかを予想することが難しくなる。これにより、仮装シンボルが表示されたときに遊技者の期待感を高めることができる。
【００６４】
また、複数の仮装シンボルが表示されることを所定の条件としてもよい。具体的には、複数の海底岸壁が描かれた仮装シンボルが同時に複数表示されることにより、それぞれの仮装シンボルが実体シンボルに変化するように構成することができる。また、海底岸壁が描かれた仮装シンボルと、ドアが描かれた仮装シンボルとが同時に表示されることにより、それぞれの仮装シンボルが実体シンボルに変化するように構成することもできる。
【００６５】
このように、複数の仮装シンボルが表示されたときに、各仮装シンボルが、対応付けられている実体シンボルに変化する。このときになって初めてどのような実体シンボルが対応付けられていたのかが明らかになる。これにより、仮装シンボルが表示されたときに遊技者の期待感を高めることができる。
【００６６】
また、トリガーシンボルを複数設け、複数のトリガーシンボルと仮装シンボルとが表示されることを所定の条件としてもよい。例えば、仮装シンボルを、ドアが描かれたシンボルとし、トリガーシンボルを鍵が描かれたシンボル、および、潜水艇が描かれたシンボルとする。そして、ドアが描かれた仮装シンボル、鍵が描かれたトリガーシンボル、および、潜水艇が描かれたトリガーシンボルの三者が同時に表示されたときに、仮装シンボルのドアが開く演出で、実体シンボルに変化させるように構成するのである。
【００６７】
このように、仮装シンボルと複数のトリガーシンボルとが表示されたときに、仮装シンボルが、対応付けられている実体シンボルに変化する。このときになって初めてどのような実体シンボルが対応付けられていたのかが明らかになる。これにより、仮装シンボルが表示されたときに、複数のトリガーシンボルも表示されるかどうかについて遊技者の期待感を高めることができる。そして、仮装シンボルと共に複数のトリガーシンボルが表示されたときに仮装シンボルが実体シンボルに変化するので、どのような実体シンボルが出現するのかについて遊技者の期待感を高めることができる。
【００６８】
さらに、仮装シンボルが表示されてから予め定められた時間が経過することを所定の条件としてもよい。このように、仮装シンボルが表示されてから予め定められた時間が経過したときに、その仮装シンボルが、対応付けられている実体シンボルに変化する。このときになって初めてどのような実体シンボルが対応付けられていたのかが明らかになる。これにより、仮装シンボルが表示されたときに、どのような実体シンボルが出現するのかについて遊技者の期待感を高めることができる。
【００６９】
また、シンボル表示部７において、複数種類のシンボルが列方向（または行方向）に配列され、外観が同一である複数の仮装シンボルを含むこととし、シンボル表示部７には各仮装シンボルを中心としたシンボルの配置パターンがそれぞれ異なる複数のクラスタが構成されていてもよい。上記のように、クラスタとは、複数のシンボルからなるシンボル群である。そして、上記のように、複数種類のシンボルを列方向に可変表示する一方、内部抽選の結果に基づいて、可変表示しているシンボルを停止表示する。ある仮装シンボルが停止表示されたとき、その仮装シンボルを中心としたシンボルの配置パターンが各クラスタにおいて異なっているので、遊技者は、その仮装シンボル近傍のシンボルによってその仮装シンボルに対応づけられている実体シンボルを予測することができるようになる。例えば、列方向（遊技機の上下方向）にシンボルを可変表示するリールにおいて、３つのシンボルを上段、中段、および下段に表示する場合を示す。この場合、各クラスタは、仮装シンボルを中心として上方向に２つ、下方向に２つのシンボルの配置パターンが異なる。具体的には、例えば、シンボルをアルファベットの大文字で表すとし、仮装シンボルを海底岸壁が描かれたシンボルＡとすると、あるクラスタにおけるシンボルの配置パターンは、リールの上側から下側に向かって、例えば、「Ｂ、Ｃ、Ａ、Ｄ、Ｅ」とする。しかし、他のクラスタにおいては、「Ｄ、Ｅ，Ａ、Ｂ、Ｃ」であったり、「Ｆ、Ｇ、Ａ、Ｈ、Ｉ」であったりする。このため、あるクラスタのシンボルの配置パターンが「Ｂ、Ｃ、Ａ、Ｄ、Ｅ」であって、仮装シンボルＡに対応付けられている実体シンボルがボーナスゲーム開始のシンボルであったとすると、仮装シンボルＡが、例えば上段に表示されたとき、中段と下段のシンボルがそれぞれ「Ｄ」と「Ｅ」であった場合には、仮装シンボルＡはボーナスゲーム開始の実体シンボルだと遊技者は予測することができる。これにより、いわゆる「リーチ目」としての表示をすることができ、遊技者の興味を掻き立てることができる。
【００７０】
なお、本発明は、上記のようなリールを用いた遊技機のみならず、トランプのカードの画像を表示させながらポーカーやブラックジャックなどのゲームを行なう遊技機にも適用できる。また、ビンゴゲームを行なう遊技機にも本発明を適用することが可能である。
【００７１】
以上のような本発明の特徴的な動作は、コンピュータに制御プログラムを実行させることにより行なわれる。すなわち、この制御プログラムは、内部抽選を行なう処理と、前記内部抽選の結果に基づいて、実体シンボルと一対一に対応付けられている仮装シンボルを含む複数種類のシンボルを表示する処理と、前記仮装シンボルが前記表示部に表示され所定の条件が満たされた場合、前記表示された仮装シンボルを、その仮装シンボルに対応付けられている実体シンボルに変化させる処理とをコンピュータに実行させることを特徴としている。
【００７２】
このように、本発明では複数種類のシンボルの中に実体シンボルと一対一に対応付けられている仮装シンボルが含まれている。仮装シンボルだけではどのような実体シンボルが対応付けられているかを判断することができない。そして、仮装シンボルが表示されて所定の条件が満たされた場合に、その仮装シンボルが、実体シンボルに変化する。ここで初めて実体シンボルが明らかとなる。これにより、遊技者は、仮装シンボルが表示されたときにどのような実体シンボルが出現するのかについて大きな期待感を持つようになる。さらに、実体シンボルが出現することを遊技者に利益をもたらす契機としてもよい。例えば、実体シンボルの出現をボーナスゲーム開始の条件としたり、大きな配当を与える条件とするのである。これにより、仮装シンボルが出現したときに実体シンボルに変化するかどうか、そしてどのような実体シンボルが出現するのかどうかについて遊技者の興味を掻き立てることが可能となる。
【００７３】
また、本発明の遊技機の制御プログラムは、実体シンボルと一対一に対応付けられている仮装シンボルを含む複数種類のシンボルを可変表示する処理と、前記内部抽選の結果に基づいて、前記可変表示している前記シンボルを停止表示する処理とをコンピュータに実行させることを特徴としている。
【００７４】
このように、仮装シンボルを含む複数種類のシンボルを可変表示し、内部抽選の結果に基づいて、可変表示している前記シンボルを停止表示するので、物理的なリール、およびビデオリールを有する遊技機に対して本発明を適用することができる。これにより、どのようなシンボルが停止表示されるかについて、遊技者の期待感を高めることができると共に、仮装シンボルが出現したときに実体シンボルに変化するかどうか、そしてどのような実体シンボルが出現するのかどうかについて遊技者の興味を掻き立てることが可能となる。
【００７５】
なお、以上説明したプログラムは、ＣＤ−ＲＯＭやＤＶＤ等の記録媒体に記録された状態で入手することができる。また、このようなプログラムは、ネットワークを構成する公衆電話回線、専用電話回線、ケーブルテレビ回線、無線通信回線等により構成される通信網等の伝送媒体を介して、送信装置であるコンピュータにより送信された信号を受信することで入手することもできる。この信号は、プログラムを含む所定の搬送波に具現化されたコンピュータデータ信号である。この送信の際、伝送媒体中には上記プログラムの少なくとも一部を伝送していればよい。すなわち、上記プログラムを構成するすべてのデータが、一時に伝送媒体上に存在している必要はない。また、上記コンピュータからプログラムを送信する送信方法には、プログラムを構成するデータを連続的に送信する場合も、断続的に送信する場合も含まれる。
【００７６】
【発明の効果】
以上説明したように、本発明の遊技機は、内部抽選を行なう抽選装置と、前記内部抽選の結果に基づいて、実体シンボルと一対一に対応付けられている仮装シンボルを含む複数種類のシンボルを表示する表示部と、前記仮装シンボルが前記表示部に表示され所定の条件が満たされた場合、前記表示された仮装シンボルを、その仮装シンボルに対応付けられている実体シンボルに変化させるシンボル変換部とを備えることを特徴としている。
【００７７】
このように、本発明では複数種類のシンボルの中に実体シンボルと一対一に対応付けられている仮装シンボルが含まれている。仮装シンボルだけではどのような実体シンボルが対応付けられているかを判断することができない。そして、仮装シンボルが表示されて所定の条件が満たされた場合に、その仮装シンボルが、実体シンボルに変化する。ここで初めて実体シンボルが明らかとなる。これにより、遊技者は、仮装シンボルが表示されたときにどのような実体シンボルが出現するのかについて大きな期待感を持つようになる。さらに、実体シンボルが出現することを遊技者に利益をもたらす契機としてもよい。例えば、実体シンボルの出現をボーナスゲーム開始の条件としたり、大きな配当を与える条件とするのである。これにより、仮装シンボルが出現したときに実体シンボルに変化するかどうか、そしてどのような実体シンボルが出現するのかどうかについて遊技者の興味を掻き立てることが可能となる。
【図面の簡単な説明】
【図１】本実施の形態に係る遊技機の外観を示す斜視図である。
【図２】本実施の形態に係る遊技機の電気的構成を示すブロック図である。
【図３】本実施の形態に係る遊技機の動作を示すフローチャートである。
【図４】本実施の形態に係る遊技機の動作を示すフローチャートである。
【図５】シンボル表示部の表示例を示す図である。
【図６】シンボル表示部の表示例を示す図である。
【図７】シンボル表示部の表示例を示す図である。
【図８】シンボル表示部の表示例を示す図である。
【符号の説明】
１…遊技機、２…筐体、３…前面パネル、７…シンボル表示部、３７…表示部制御回路、６０…トリガーシンボル、６１…潜水艇、６２…仮装シンボル、７０…実体シンボル、７１…第１リール、７２…第２リール、７３…第３リール、７４…第４リール、７５…第５リール、８０…実体シンボル
【図１】
2004016315.tif 000003
【図２】
2004016315.tif 000004
【図３】
2004016315.tif 000005
【図４】
2004016315.tif 000006
【図５】
2004016315.tif 000007
【図６】
2004016315.tif 000008
【図７】
2004016315.tif 000009
【図８】
2004016315.tif 000010